(57)【特許請求の範囲】
【請求項１】
カメラ本体または充電ユニットに接続可能なカメラアクセサリにおいて、
カメラ本体または充電ユニットから充電可能な電源と、
前記充電可能な電源への充電制御を行う充電制御部と、
前記カメラアクセサリが前記カメラ本体に接続されているか或いは前記充電ユニットに接続されているかを判別する判別部を具備し、
前記充電制御部は、前記判別部での判別結果に基づいて充電制御を変更することを特徴とするカメラアクセサリ。
【請求項２】
前記カメラ本体が前記カメラアクセサリに接続されているときに、前記充電制御部は、前記カメラ本体内または前記カメラアクセサリ内のアクチュエータ動作中、前記カメラ本体のストロボ充電中あるいは前記カメラ本体のレリーズ動作中において充電を禁止することを特徴とする請求項１記載のカメラアクセサリ。
【発明の詳細な説明】
【０００１】
【発明の属する技術分野】
本発明はカメラアクセサリに関し、特に、カメラボディ（カメラ本体）と通信が可能で、かつ内部に充電可能な電源を有するカメラアクセサリに関する。
【０００２】
【従来の技術】
内部に電源を有するカメラアクセサリは従来より知られている。例えば、特開平９−９０４６３号公報には、交換レンズ内二次電池（蓄積手段）の充電を、カメラボディからの非接触送電手段（コイルなど）にて行うことが開示されている。特開平８−７６２１２号公報には、レンズとカメラボディとが一体になった構成において、撮像側にメインバッテリ、レンズ保持枠側にサブバッテリをもち、レンズが駆動されていないときにのみサブバッテリの充電を行ない、レンズ駆動中はサブバッテリの充電を行なわずにレンズ内のモータに電源を供給する技術が開示されている。
【０００３】
【発明が解決しようとする課題】
しかしながら、上記した特開平８−７６２１２号公報では専用の充電回路が必要になるとともに、一体構成なのでカメラのメインバッテリからしか充電することができない。
【０００４】
また、上記した特開平９−９０４６３号公報は、レンズの充電のための専用の回路がカメラボディ内に必要であり、また、カメラ以外のもので充電する場合には同様に専用回路が必要となる。よって、カメラアクセサリを装着するためには、カメラボディ側に充電回路を有しているものに限定されてしまう。また、上記のような充電回路を有するカメラボディに充電の必要のないカメラアクセサリを接続して使用する場合は、カメラボディ内の充電回路が無駄になってしまう。
【０００５】
本発明のカメラアクセサリはこのような課題に着目してなされたものであり、その目的とするところは、カメラアクセサリに充電可能な電池と充電回路とを具備させることにより、カメラボディ及び他装置からの充電を可能にするとともに、カメラシステムの無駄をなくしたカメラアクセサリを提供することにある。
【０００６】
【課題を解決するための手段】
上記の目的を達成するために、本発明の第１の態様に係るカメラアクセサリは、カメラ本体または充電ユニットに接続可能なカメラアクセサリにおいて、カメラ本体または充電ユニットから充電可能な電源と、前記充電可能な電源への充電制御を行う充電制御部と、前記カメラアクセサリが前記カメラ本体に接続されているか或いは前記充電ユニットに接続されているかを判別する判別部を具備し、前記充電制御部は、前記判別部での判別結果に基づいて充電制御を変更する。
【０００８】
また、本発明の第2の態様に係るカメラアクセサリは、第１の態様において、前記カメラ本体が前記カメラアクセサリに接続されているときに、前記充電制御部は、前記カメラ本体内または前記カメラアクセサリ内のアクチュエータ動作中、前記カメラ本体のストロボ充電中あるいは前記カメラ本体のレリーズ動作中において充電を禁止する。
【０００９】
【発明の実施の形態】
以下、図面を参照して本発明の一実施形態を詳細に説明する。
図１はカメラアクセサリと、カメラボディ及び他の充電ユニットとの接続可能な組み合せを示す図である。
【００１０】
アクセサリ１（１００）は充電可能な電池を内蔵したカメラアクセサリ（例えば充電電池内蔵、オートフォーカス機能、マニュアルフォーカス機能を有するレンズ）であり、充電用の回路からなる充電部１０１と、内部の回路を制御したり充電部１０１による充電を制御する制御部１（１０２）と、モータなどの比較的電源を消費する重負荷回路１（１０３）と、操作スイッチの検出回路などからなる回路１（１０４）と、リチウムイオン二次電池などの充電可能な電池からなる電源１（１０５）とからなる。アクセサリ１（１００）は後述するカメラボディに接続可能である。
【００１１】
アクセサリ２（２００）は充電可能な電池を内蔵しないカメラアクセサリ（例えばマニュアルフォーカスレンズ）であり、制御部３（２０１）と、重負荷回路３（２０２）と、回路３（２０３）とから構成され、アクセサリ１（１００）と同様の形式でカメラボディに接続可能である。
【００１２】
カメラボディ３００は、内部の回路を制御する制御部２（３０１）と、例えば単三アルカリ電池やリチウム電池などの通常の電池からなる電源２（３０２）と、巻上げ、巻戻し回路、シャッタ回路、ストロボ充電回路などの大電流を要する回路である重負荷回路２（３０３）と、表示回路やフォーカス検出回路などの回路２（３０４）とから構成される。カメラボディ３００はアクセサリ１（１００）またはアクセサリ２（２００）とに接続可能である。
【００１３】
また、充電ユニット１（４００）はアクセサリ１（１００）に接続されてＡＣ電源から充電を行なうための充電ユニットであり、ＡＣ／ＤＣ変換回路４０１を具備し、家庭用電源４０２に接続される。
【００１４】
また、充電ユニット２（５００）はアクセサリ１（１００）に接続されてＤＣ電源から充電を行なうための充電ユニットであり、例えば通常の電池からなる電源３（５０１）から構成される。
【００１５】
図２は図１に示すアクセサリ１（１００）の詳細な回路構成を示す図である。マイクロコンピュータ１０はカメラアクセサリ内の諸回路の制御を行なうものである。５０は充電可能な電池であり、カメラアクセサリ内の諸回路に電源を供給する。Ｖcc1 はカメラボディ３００から供給される電源電圧ラインであり、Ｖcc2 は充電可能な電池５０から供給される電源電圧ラインである。４０、４１は充電制御用のトランジスタであり、トランジスタ４０、４１のエミッタは、上記電源電圧ラインＶcc1 に接続されており、コレクタはそれぞれ抵抗６０、６１を介して上記電源電圧ラインＶcc2 に接続されている。そして、トランジスタ４０、４１のベースは、それぞれマイクロコンピュータ１０のchg1on端子、chg2on端子に接続されており、マイクロコンピュータ１０がchg1on端子、chg2on端子を制御し、トランジスタ４０、４１をオンすることにより充電可能な電池５０に充電を行なう。この場合、充電抵抗６０、６１は抵抗値が異なるので、充電制御用のトランジスタ４０、４１のいずれかをオンさせて充電抵抗６０または６１により充電時間を変えることができる構成となっている。
【００１６】
また、抵抗６２、６３はバッテリチェック用の抵抗であり、４２はバッテリチェック制御を行なうトランジスタである。トランジスタ４２のベースはマイクロコンピュータ１０のbcon端子に接続されており、マイクロコンピュータ１０の制御により、トランジスタ４２がオンしたときに二次電池５０の電源電圧ラインＶcc2 の電圧をバッテリーチェック用抵抗６２、６３により抵抗分割した値がマイクロコンピュータ１０のＶad端子に入力される。マイクロコンピュータ１０は、Ｖad  端子に入力された電圧をＡＤ変換し、現在のＶcc2 電圧状態を検知する。検出回路２０は電源電圧ラインＶcc2 の電圧を検出し、充電時にＶcc2 が所定値（Ｖref ）以上になるとマイクロコンピュータ１０のＶint 端子に“Ｌ”レベルの割込み信号を入力する。３０は電源逆流防止用のダイオードであり、電源電圧ラインＶcc1 またはＶcc2 のどちらかの電圧がマイクロコンピュータ１０に供給される構成となっている。７０、７１は、判別部としての装着検出スイッチであり、アクセサリ１（１００）がカメラボディ３００、または、充電ユニット１（４００）、または、充電ユニット２（５００）に装着された場合にそのオン、オフ状態が変化する。アクセサリ１（１００）がカメラボディ３００に装着された場合には装着検出スイッチ７０、７１は共にオンになる。また、アクセサリ１（１００）が充電ユニット１（４００）に装着された場合には装着検出スイッチ７０、７１はそれぞれ、オン、オフとなる。また、アクセサリ２（２００）が充電ユニット２（５００）に装着された場合には装着検出スイッチ７０、７１はそれぞれ、オフ、オンとなる。このような方法により装着された機器の種類を判別し、装着された機器の種類に応じてその充電制御を変更するようにする。なお、上記マイクロコンピュータ１０とスイッチ７０、７１とで、装着検出部及び装着機器判別部を構成している。
【００１７】
マイクロコンピュータ１０には上記した圧Ｖcc1 、Ｖcc2 の電圧のいずれか一方から電源供給される。例えば二次電池からのＶcc2 の電圧が低くなっている場合には、カメラボディ３００からのＶcc1 の電圧により電源供給される。
【００１８】
次に、図３を参照してカメラアクセサリの制御の詳細を説明する。まず、カメラアクセサリ１００がカメラボディ３００に装着されるなどして、電源が投入されるとパワーオンリセットを行って（ステップＳ１）、データの初期化（ステップＳ２）、何が装着されたか（例えばカメラボディなのか充電ユニットなのか）を検出する装着検出（ステップＳ３）を続いて行う。装着されているものを判断し（ステップＳ４）、何も装着されていなかった場合にはステップＳ１８に跳んで、種々の設定を行なった後に、低消費電流な状態（いわゆるスリープ状態）となる。まず、スリープ準備処理を行い（ステップＳ１８）、どのようなスイッチ（電源スイッチ、レリーズスイッチ）で割込むかについての割込み設定を行って（ステップＳ１９）、上記スリープ状態に入る（ステップＳ２０）。なお、ステップＳ１９で割込み設定されたスイッチが操作された場合にはステップＳ２０のスリープ状態が解除されて（ステップＳ１６）、割り込みによりステップＳ２が実行される。
【００１９】
一方、何らかの機器が装着されており、ステップＳ４の判断がＹＥＳであった場合には、装着機器のチェックを行う（ステップＳ５）。装着機器の検出は図２で説明したように、図２におけるスイッチ７０、７１のＯＮ、ＯＦＦ状態により行なう。それにより、カメラボディが装着されたか否かを判断し（ステップＳ６）、カメラボディの装着でなかった場合にはカメラ非装着時の充電制御を行う（ステップＳ１７）。ここでカメラ非装着時の充電制御については詳しく後述する。また、ステップＳ６でＹＥＳの場合にはカメラボディが装着されているのでカメラアクセサリとしての動作を行なう。すなわち、まず、タイマ設定を行って（ステップＳ７）、タイマ終了か否かを判断する（ステップＳ８）。最初はＮＯとなってカメラボディとの通信を行う（ステップＳ９）。次にカメラ装着時の充電制御を行って（ステップＳ１０）、レンズ操作部材による設定入力、例えば不図示のオートフォーカス、マニュアルフォーカス切替ＳＷの検出及び設定入力を行う（ステップＳ１１）。次に、カメラボディからのコマンド（例えば、ＡＦ動作の実行）要求があるか否かを判断し（ステップＳ１２）、ＮＯの場合にはステップＳ８に戻る。ＹＥＳの場合にはカメラボディコマンドを受信して（ステップＳ１３）、当該コマンドを実行する（ステップＳ１４）。次にタイマを更新して（ステップＳ１５）、ステップＳ８に戻る。
【００２０】
なお、ステップＳ１９で割込み設定されたスイッチが操作された場合にはステップＳ２０のスリープ状態が解除されて（ステップＳ１６）、割り込みによりステップＳ２が実行される。
【００２１】
次に図４を参照して、図３に示すステップＳ１０のカメラ装着時の充電制御の詳細を説明する。本実施の形態では、カメラ装着時の充電制御は、Ｖcc1 の電圧が所定値（Ｖref1）以上で、Ｖcc2 の電圧が所定値（Ｖref2）以下のときに開始され、Ｖcc2 の電圧が所定値（Ｖref2）とは異なる所定値（Ｖref ）よりも高い電圧となったら充電を終了する構成となっている。ここで、Ｖcc2 の電圧が所定値（Ｖref ）よりも高い電圧となったか否かは、上記図２の検出回路２０で検出し、Ｖref2≧Ｖref の場合にマイクロコンピュータ１０のＶint 端子に信号が入力される。
【００２２】
まず、充電状態フラグ（充電状態フラグは充電時に１となる）の状態を確認する（ステップＳ７０）。充電状態フラグが１の場合には充電許可フラグ（充電が許可されている場合には１となる）の状態を確認する（ステップＳ８０）。この充電許可フラグは、１．カメラボディ内またはカメラアクセサリ内のアクチュエータの動作中、２．カメラボディのストロボ充電中、３．カメラボディのレリーズ動作中、など電源消費が大きい場合や、充電を行なうとカメラとしての動作に支障をきたす場合には、カメラアクセサリがカメラボディに接続されていても、充電を禁止するために０に設定されるフラグであり、図３のステップＳ９、ステップＳ１０、ステップＳ１１、ステップＳ１４等で、その時々のカメラボディとカメラアクセサリの状態により設定される。
【００２３】
本実施の形態では上記１〜３の場合に充電を禁止しているが、例えばカメラボディの電源が大容量であり、上記１、２のときにも充電可能なシステムの場合には、上記３の場合にのみ充電を禁止することも考えられる。
【００２４】
ステップＳ７０で充電許可フラグが０の場合には充電状態フラグに０を書き込み（ステップＳ８１）、充電用トランジスタをオフにする充電終了処理を行って（ステップＳ８２）、Ｖint による割込みを禁止する処理を行って（ステップＳ８３）、リターンする。また、ステップＳ８０で充電許可フラグが１であった場合には直ちにリターンする。
【００２５】
一方、ステップＳ７０で充電状態フラグが０であると判断された場合には、現在、充電は行われていないので、ステップＳ７１〜Ｓ７４で充電を行なうかどうかを判断する。まず、Ｖcc１の電圧（カメラボディの電源電圧）のバッテリチェックを行う（ステップＳ１１）。ここではＶcc1 の電圧がＶref1（基準電圧）よりも高いか否かにより、Ｖcc１の電源電圧が充分にあるか否かを判断し（ステップＳ７４）、ＮＯの場合にはバッテリーロック処理（電源がないことをカメラボディに知らせて電源オフ状態になる）を行なう。また、ＹＥＳの場合には自身（カメラアクセサリ）の電源Ｖcc2 のチェックを行なう（ステップＳ７３）。すなわち、Ｖcc2 がＶref2よりも高い電圧か否かを判断し、ＹＥＳの場合には電源が十分にあるのでリターンする。
【００２６】
一方、ＮＯの場合には、充電許可フラグの状態を確認する（ステップＳ７５）。ここで充電許可フラグが０の場合にはリターンする。１の場合には充電が許可されている状態であるので充電状態フラグに１を書き込み（ステップＳ７６）、充電を開始する（ステップＳ７７）。次にＶint 端子の割込み設定（具体的にはＶint 端子に“Ｌ”レベルが入力されたら充電終了割込み処理を行なうように設定）を行って（ステップＳ７８）、Ｖint 端子の割込みを許可し（ステップＳ７９）、リターンする。よって、Ｖcc2 の電圧がＶref よりも高くなった場合には、検出回路２０がマイクロコンピュータ１０の割込み端子Ｖint に“Ｌ”レベルの信号を入力する。それにより、マイクロコンピュータ１０は充電終了割込み処理を行なう。充電終了割込み処理の詳細は図６を参照して後述する。
【００２７】
次に、図６を参照して充電終了割込み処理の詳細を説明する。まず、充電状態フラグに０を書き込み（ステップＳ６０）、充電終了処理を行う（ステップＳ６１）。次に、割込み禁止処理を行って（ステップＳ６２）、リターンする。
【００２８】
次に図５を参照してカメラ非装着時の充電制御の詳細を説明する。まず、バッテリチェックを行う（ステップＳ５０）。次に、Ｖcc2 の電圧がＶref よりも高いか否かを判断する（ステップＳ５１）。ここでＹＥＳの場合はＶcc2 の電圧が高く、充電制御を行なう必要がないのでリターンする。ＮＯの場合には電源が十分でないので充電を行なうため、次に充電ユニット２が装着されているか否かを判断する（ステップＳ５２）。ここでＮＯの場合にはステップＳ５４に進む。ＹＥＳの場合には充電ユニットに合わせて充電抵抗を充電抵抗６０から６１に変更（ステップＳ５３）してステップＳ５４に進む。ここで、充電抵抗の変更はトランジスタ４０、４１のうちいずれかをオンすることにより行なわれるが、選択される抵抗は装着されたユニットに応じて行われる。通常はトランジスタ４０がオンするが、ユニット２が装着された場合にはトランジスタ４１がオンするように制御する。ステップＳ５４では充電を行い、次のステップＳ５５で充電終了となるまで充電を継続する。
【００２９】
上記した実施形態によれば、カメラアクセサリ側に二次電池（図１の電源１（１０５）と充電回路（図１の充電部１０１）とを具備させるようにしたので、カメラボディ及び他装置からの充電が可能となる。また、図１に示すアクセサリ２（２００）のような構成をカメラボディに装着したい場合がある。このとき、カメラボディ内に充電部を有しているとそれが無駄になってしまうが、本実施形態ではカメラボディ内に充電部を有していないのでこのようなシステムの無駄をなくすことができる。さらに、カメラアクセサリは、装着された機器により充電制御を変更し、特にカメラボディが装着された場合にはカメラボディの状態とカメラアクセサリの状態に基づいて充電制御を行なうので、カメラとしての動作に支障をきたさない。
【００３０】
なお、上記した具体的実施形態には以下のような構成の発明が含まれている。
１．
電源を有するカメラボディと接続可能なカメラアクセサリにおいて、
前記カメラボディ内電源からの充電可能な電源と、
前記充電可能な電源への充電制御を行なう充電制御部と、
を有することを特徴とする。
２．
カメラボディと接続可能なカメラアクセサリにおいて、
充電可能な電源と、
この充電可能な電源への充電制御を行なう充電制御部と、
カメラアクセサリの動作制御を行なう制御部と、
を有することを特徴とする。
３．
１．または２．において、カメラボディ等の一つ以上の機器に装着可能なカメラアクセサリであって、機器に装着されたかどうかを検出する装着検出部を有することを特徴とする。
４．
３．において、カメラボディ等の一つ以上の機器に装着可能なカメラアクセサリであって、
前記装着検出部が機器の装着を検出していない場合には、前記充電制御部は充電を行なわないことを特徴とする。
５．
１．または２．において、カメラボディを含む複数の機器に装着可能なカメラアクセサリであって、
装着された機器を判別する装着機器判別部を有することを特徴とする。
６．
５．において、装着機器判別部により装着された機器の判別結果により、前記充電制御部は充電制御を変更することを特徴とする。
７．
２．において、カメラボディを含む複数の機器に装着可能なカメラアクセサリであって、
装着された機器を判別する装着機器判別部を有し、装着された機器がカメラボディであった場合には、カメラアクセサリの動作制御を行なうことを特徴とする。
８．
２．または１．において、カメラボディ内の動作状態により充電制御方法を変更することを特徴とする。
９．
２．において、カメラボディ内またはカメラアクセサリ内のアクチュエータ動作時には充電を禁止する手段を有することを特徴とする。
１０．
２．において、カメラボディがストロボ充電中は充電を禁止する手段を有する。
１１．
２．において、カメラボディがレリーズ動作中は充電を禁止する手段を有する。
１２．
充電可能な電源を有するカメラの交換レンズであって、
前記充電可能な電源電圧をレンズ内のアクチュエータに供給することを特徴とする。
１３．
充電可能な電源を有するカメラアクセサリと、
前記カメラアクセサリ内の電源に供給可能な電源を有するカメラボディと、
からなるカメラシステムにおいて、
前記カメラアクセサリまたはカメラボディのアクチュエータが動作している場合には充電動作を行なわないことを特徴とする。
１４．
充電可能な電源と、
充電制御部と、
を有するカメラアクセサリにおいて、
前記充電可能な電源を充電中にカメラアクセサリ動作を行なうことを特徴とする。
【００３１】
【発明の効果】
本発明によれば、カメラアクセサリ側に充電可能な電池と充電回路とを具備させるようにしたので、カメラボディ及び他装置からの充電が可能となるとともに、カメラシステムの無駄をなくしたカメラアクセサリを提供することができる。
【図面の簡単な説明】
【図１】カメラアクセサリと、カメラボディ及び他の充電ユニットとの接続可能な組み合せを示す図である。
【図２】図１に示すアクセサリ１の詳細な回路構成を示す図である。
【図３】カメラアクセサリのメインフローの詳細を説明する。
【図４】図３に示すステップＳ１０のカメラ装着時の充電制御の詳細を説明するためのフローチャートである。
【図５】図３に示すステップＳ１７のカメラ非装着時の充電制御の詳細を説明するためのフローチャートである。
【図６】充電終了割込み処理の詳細を説明するためのフローチャートである。
【符号の説明】
１００…アクセサリ１、
１０１…充電部、
１０２…制御部１、
１０３…重負荷回路１、
１０４…回路１、
２００…アクセサリ２、
２０１…制御部３、
２０２…重負荷回路３、
２０３…回路３、
３００…カメラボディ、
３０１…制御部２、
３０２…電源２、
３０３…重負荷回路、
３０４…回路２、
４００…充電ユニット１、
４０１…ＡＣ／ＤＣ変換回路、
４０２…家庭用電源、
５００…充電ユニット２、
５０１…電源３。
【図１】
0004030656.tif 000002
【図２】
0004030656.tif 000003
【図３】
0004030656.tif 000004
【図４】
0004030656.tif 000005
【図５】
0004030656.tif 000006
【図６】
0004030656.tif 000007